(57)【要約】【課題】  ＤＶＤやＣＤプレイヤー、アンプやチューナー等のＩＴ機器を、部屋内ではなく、住宅の収納構造内に設置した状態で、安全確実に機器本来の機能を発揮させること。【解決手段】  内部にＩＴ機器１を設置する収納構造２であって、住宅などの間取の一部として造作され、電源やアンテナの配線取出口を具備し、異なる２方向の開口部のうち、一方にはガラス扉５ａを、他方には換気ガラリ１４を有する建具５ｂを取り付けた。また、ＩＴ機器を載せる棚板１０を複数段設置した場合、棚板１０と建具５ａ、５ｂとの間に間隔１２ａ、１２ｂを設けた。これにより、ＩＴ機器の発熱による熱気は棚板間にこもらず、上昇して上部ガラリから排出され、下部ガラリからは外部空気が流入して換気が行われる。そのため、ＩＴ機器を部屋内に置かずに収納構造内に収納した状態で使用できるので、部屋を広く使用できる。また、配線等が露出しないので部屋の景観がよい。【選択図】図１
2005194849.tif 000002
【特許請求の範囲】
【請求項１】
建築物の間取の一部として造作され、内部にＩＴ機器を設置する収納構造であって、電源やアンテナの配線取出口を具備し、互いに異なる２方向に開口部を有し、一方の開口部に取り付けた建具の少なくとも上部および下部に換気手段を有してなるＩＴ機器設置用収納構造。
【請求項２】
前記ＩＴ機器を載置する複数の棚板を具備し、それぞれの棚板の端部と前記互いに異なる２方向の開口部に取り付けた建具との間に間隔を設けてなる請求項１に記載のＩＴ機器設置用収納構造。
【請求項３】
前記互いに異なる２方向の開口部のうち、他方の開口部にはガラス扉が取り付けられている請求項２に記載のＩＴ機器設置用収納構造。
【請求項４】
住宅の間取の一部として造作され、ＩＴ機器に接続する電源やアンテナの配線取出口を具備するとともに、互いに異なる２方向に開口部を有し、一方の開口部に取り付けた建具の少なくとも上部および下部に換気手段を有してなるＩＴ機器設置用収納構造を備えた住宅。
【請求項５】
住宅の間取の一部として造作され、ＩＴ機器を載置する複数段の棚板と、電源やアンテナの配線取出口とを具備するとともに、互いに異なる２方向に開口部を有し、一方の開口部に取り付けた建具の少なくとも上部および下部に換気手段を有し、かつ、前記棚板の端部と前記互いに異なる２方向の開口部に取り付けた建具との間に間隔を設けてなるＩＴ機器設置用収納構造を備えた住宅。
【発明の詳細な説明】
【技術分野】
【０００１】  本発明は、住宅などの建築物において、特に、ＤＶＤプレイヤー、ＣＤプレイヤー、家庭用サーバー、カセットデッキ、アンプ、チューナー、レコードプレイヤー、ゲーム機器等のＩＴ機器や、それに関連した機器類を、収納したまま使用可能とした収納構造に関する。
【背景技術】
【０００２】  住宅の居間や事務所の事務室などには、あらかじめ大工などによって造作された押入れや物入れなどの収納構造がある。これらの収納構造は一般に、それが設置された居間や事務室に面して開口部があり、他の３方向は壁で囲まれたボックス形をしている。内部には、ふとん類や衣装箱、あるいは常時はあまり使用しない物品などを収納している。【０００３】  一方、ＩＴ機器およびその関連機器類は、一般にキャビネットあるいは家具などに設置され、このキャビネットや家具類が、居間や事務室内に配置される。また、使用しないＩＴ機器を押入れなどに収納しても、使用時は部屋内に取り出して設置し使用するのが通常である。【０００４】  住宅の収納構造の特殊な例として、特許文献１には、正面が和室に面し一方の側面が居間に面して配置した収納部に、正面および側面に回動可能に仏壇が設置され、それぞれの面に設けた扉を開くと、必要に応じて和室又は居間から仏壇を礼拝できるようにした収納構造が記載されている。【０００５】  また、特許文献２には、ふとんの出し入れが容易なように、客室側の正面と廊下側の裏面に開口部を設けた押入れが記載されている。
【特許文献１】    特開２００３−１９３６８９号公報
【特許文献２】    特開２００１−３０３７６０号公報
【発明の開示】
【発明が解決しようとする課題】
【０００６】  ＩＴ機器を部屋内に設置する従来の方法は、近年のようにＩＴ機器の種類が増えると、それらのＩＴ機器を設置する大きなスペースおよび空間が必要となり、部屋としての有効面積や空間が狭くなる欠点がある。【０００７】  また、多数のＩＴ機器類をキャビネットなどの家具に集約して設置しても、このような家具を設置することにより部屋のスペースが狭くなるし、また、電力等を供給する多数の配線類が部屋内に露出して、部屋内の景観を損なうという問題があった。【０００８】  また、ＩＴ機器は使用時に熱を発生するが、前記特許文献１および２に記載の例は、このＩＴ機器類の発熱に対する配慮に欠け、特許文献１および２に記載の収納構造にＩＴ機器を設置して使用することは、収納部内に熱がこもり好ましくない。【０００９】  本発明は、建築物、特に戸建やマンションなどの住宅において、ＩＴ機器を部屋内に配置せずに、住宅の収納構造内に設置した状態で、安全確実に機器本来の機能を発揮させることを目的とするものである。
【課題を解決するための手段】
【００１０】  上記目的を達成するために本発明は、建築物の間取の一部として造作され、内部にＩＴ機器を設置する収納構造であって、電源やアンテナの配線取出口を具備し、互いに異なる２方向に開口部を有し、一方の開口部に取り付けた建具の少なくとも上部および下部に換気のためのガラリなどを有してなるものである。【００１１】  上記構成によれば、収納構造内の配線取出口に配線を接続し、ＩＴ機器を収納した状態で使用することができる。また、ＩＴ機器の発熱によって温められた空気はガラリの上部から排出され、下部からは外部空気が流入するので熱気が収納構造内にこもらない。そのため、ＩＴ機器類を部屋内に設置しなくてもよいので、部屋を広く使用できる。また、配線が収納されるため部屋の景観がよい。【００１２】  また、前記ＩＴ機器を載置する複数の棚板を具備し、それぞれの棚板の端部と前記互いに異なる２方向の開口部に取り付けた建具との間に間隔を設けた。これにより、熱気の上昇路が確保され換気効率が向上する。また、この間隔を利用して配線等のメンテナンス作業を容易に行える。【００１３】  また、前記互いに異なる２方向の開口部のうち、他方の開口部にはガラス扉が取り付けられているため、収納構造内部の空気と部屋の空気を遮断できる。また、ガラス扉にすることにより、リモコンの光線による遠隔操作が可能となる。【００１４】  また上記目的は、上記ＩＴ機器設置用収納構造を備えた戸建やマンション等の住宅、あるいは、事務所、店舗などの建築物によっても達成される。例えば、住宅の間取の一部として造作大工などにより作られた収納部内に、ＩＴ機器を収納した状態で使用できるため、これらのＩＴ機器を居間等の部屋内に設置しなくてもよいので部屋のスペースを広く使用できる。【００１５】  また、２方向の開口部のうち、一方の開口部を居室側に開口させることにより居室側からＩＴ機器の操作を可能とし、他方の開口部を廊下等に開口させることにより、機器の裏側に集中する配線の接続作業などのメンテナンスを容易にできる。また、配線類も部屋内に露出しないので、景観もすっきりする。
【発明の効果】
【００１６】  上述のとおり本発明によれば、戸建やマンションの住宅、あるいは事務所や店舗などの建築物に、ＩＴ機器収納構造を設けることにより、ＩＴ機器や配線を部屋内ではなく収納構造内に設置するので、部屋を広く使用でき部屋の景観がスッキリする。【００１７】  また、２方向に開口部を配置することにより、表側からＩＴ機器の操作と、裏側からの配線接続作業等のメンテナンスとを容易にできる。また、収納部に自然換気構造を採用してＩＴ機器の発熱が内部にこもらないようにしたので、収納した状態で安全確実に機器本来の機能を発揮させることができる。
【発明を実施するための最良の形態】
【００１８】  本発明の実施形態の概要は、戸建やマンションの住宅にＩＴ機器を集約して設置できる収納部を造作し、この収納部にＩＴ機器を設置することにより、ＩＴ機器およびその関連機器や配線類を居室内から一掃し、居室内の有効スペースの確保と、スッキリとした室内環境を実現したものである。【００１９】  そのため、ＩＴ機器収納部には、例えば居室側と廊下側の２方向に開口部を設置し、居室側からの機器の操作と、廊下側からの配線接続などのメンテナンスを容易にした。また、ＩＴ機器収納部には、ＩＴ機器の動作による発熱を処理する工夫を施した。【００２０】  以下、図面を参照しながら本発明の実施形態を説明する。本実施形態では一般的な木造戸建住宅を例に説明するが、本発明はマンション等のコンクリート製住宅や、事務所、店舗、工場等の建築物でも同様に適用される。【００２１】  図１は本実施形態のＩＴ機器収納部の斜視図、図２は図１の縦断面図である。本例におけるＩＴ機器１の収納部２は、高さが床３から鴨居４程度まで、幅は約半間弱（６０〜８０ｃｍ程度）の箱形の構造となっている。【００２２】  収納部２の２方向には、それぞれ建具５ａ、５ｂ付きの開口部を有し、他の２方向の壁６は大工によって造られた木造大壁で仕切られている。なお、高さや幅は必要に応じて任意に設定できる。また、壁は大壁構造のほか新壁構造やコンクリート製壁構造でもよい。【００２３】  収納部内壁面には電源コンセントや、テレビアンテナ、電話、ラン配線等の取出口７が集約して設置されている。これらの配線は、本例では木造大壁内に配線しているが、コンクリート壁では壁内に配線用の配管を設置したり内壁面に設置したりすることもできる。なお、取出口７の設置位置は収納部内部の低所や高所など、必要に応じて複数箇所に設置できる。【００２４】  図１および図２に示すように、収納部２の正面側となる居室側は、そのほぼ全面が一方の開口部となっており、建具５ａが取り付けられいる。この正面開口部からＩＴ機器１が出し入れできる。【００２５】  また、正面開口部を通してＩＴ機器の操作や目盛りの確認、あるいは居室からのリモコン操作が可能となっている。なお、居室は一般的にはリビングルームやダイニングルームあるいは寝室などであり、また、事務所の事務室や会議室、応接室、あるいは店舗などでもよい。【００２６】  正面開口部の建具５ａは、ＩＴ機器１の出し入れが容易なだけでなく、居室側とＩＴ機器収納部２内との空気の流通を遮断し、かつ、機器類の目盛などを目視でき、リモコンの光線が透過する機能を有するものがよい。本例ではガラス１３をはめ込んだ両開きガラス扉を用いている。【００２７】  なお、収納部の内部が見えないような扉を取り付け、必要に応じて扉を開けて使用することもできる。また、開き扉にするか引き戸にするか、あるいは扉の枚数などは任意に設定できる。図では、両開きガラス扉を上下２段に設置してデザインの向上を図っている。符号８は任意に取り付けた戸当たり用の横桟である。【００２８】  ＩＴ機器収納部２の他の開口部は収納部の裏側、すなわち裏面側や側面側に配置され、廊下や玄関ホール、キッチンやユーティリティなどに面しており、建具５ｂが取り付けられている。【０��２９】  この裏側開口部からは、電源その他の配線の接続や機器間の配線接続など、一般にＩＴ機器類の裏側に集中する接続作業などを行う。そのため、人間が作業しやすいように、収納部の裏面もしくは側面のほぼ全面が開口部となっている。【００３０】  裏側開口部（裏面開口部または側面開口部）の建具５ｂは、収納部２の内部の作業が容易で、かつ、収納部内部の換気が容易に行われる機能を有するものがよい。ＩＴ機器１は使用時に発熱する部品を有するものがあり、収納部内部に熱気がこもらないようにする必要がある。【００３１】  そこで建具５ｂの少なくとも上部および下部にガラリ１４を有する折戸を用いている。本例ではほぼ全面をガラリにして換気効率を上げている。なお、建具５ｂも、開き扉、あるいは引き戸、折戸など任意に選択できる。【００３２】  本例によれば、ＩＴ機器の発熱によって温められた収納部２の内部の空気は、図中矢印で示すように、上昇して上部ガラリから排出され、下部ガラリから廊下等の冷気が収納部内部に流入する自然換気によって、熱気が内部にこもらないようになっている。なお換気手段は、本例ではガラリを採用したが単なる通気孔でもよく、要は収納部内の空気が換気されるものであればよい。【００３３】  ＩＴ機器収納部内部２には、本例では個々のＩＴ機器１を設置するための複数の棚１０が設けられている。棚１０は公知の技術を用いて上下間隔を移動自由に設定し配置できる。また、棚板間に適宜引出し１１を設置してもよい。本例では、最下段に引出し１１を設けている。なお、内部を棚なしの空間にして、市販のラックなどを組み立ててＩＴ機器を設置してもよい。【００３４】  また、図２に示すように、棚板１０は正面建具５ａおよび裏側建具５ｂとの間に、それぞれ間隔１２ａおよび１２ｂを設けて配置する。この間隔１２ａおよび１２ｂが上昇空気の流通路となるので、棚板間に熱気がこもらず、収納部内の自然換気が容易に行われる。特に、裏側建具５ｂとの間隔１２ｂを大きくとることにより、配線接続などの作業が容易になる。【００３５】  本実施形態では、ＩＴ機器収納部２の内面および棚板１０などには耐熱材を使用している。例えば、収納部内壁および天井には石膏ボードを使用し、床は防火板を使用する。これにより、熱に対して強い構造となっている。【００３６】  図３および図４は、中段タイプのＩＴ機器収納部の斜視図および景観図である。本例は、ＩＴ機器１を設置する収納部２を、例えば押入れの中段程度の高さとし、内部にＩＴ機器１を設置する。【００３７】  この場合、図４に示すように、棚板１０を配置してＩＴ機器１を設置してもよいし、棚板なしで、ＩＴ機器をそのまま積み重ねて設置してもよい。また、裏側の開き戸はほぼ全面にガラリを設けて換気効率を上げている。中段１５の上部は、本例のようにテレビを設置してもよいが、飾り棚などにも使用できる。【００３８】  図５〜図８は、本発明のＩＴ機器収納部２を備えた住宅の間取図である。ＩＴ機器収納部２は、図５では、リビングダイニングルーム（ＬＤ）に面して正面開口部が設置され、玄関ホールに面して裏面開口部が設置されている。【００３９】  図６では、ＬＤに面して正面開口部が設置され、廊下に面して裏面開口部が設���されている。図７では、ＬＤのリビングに面して正面開口部が設置され、ダイニングに面して側面開口部が設置されている。また、図８では、店舗に面して正面開口部が設置され、通路に面して側面開口部が設置されている。【００４０】  いずれの例においても、ＩＴ機器を建物構造内の収納部に設置したままの状態で使用することができ、室内に設置した場合に比較して部屋を広く使用できる。また、配線類が室内に露出しないので、部屋の景観がスッキリする。
【図面の簡単な説明】
【００４１】
【図１】  本発明の一実施形態を示すＩＴ機器収納部の斜視図
【図２】  図１のＩＴ機器収納部の縦断面図
【図３】  本発明の他の実施形態を示す中段タイプのＩＴ機器収納部の斜視図
【図４】  図３のＩＴ機器収納部の景観図
【図５】  本発明のＩＴ機器設置用収納部を備えた住宅の一例を示す間取図
【図６】  本発明のＩＴ機器設置用収納部を備えた住宅の他の例を示す間取図
【図７】  本発明のＩＴ機器設置用収納部を備えた住宅の更に他の例を示す間取図
【図８】  本発明のＩＴ機器設置用収納部を備えた住宅の更に他の例を示す間取図
【符号の説明】
【００４２】  １  ＩＴ機器
２  ＩＴ機器収納部
５ａ、５ｂ  建具
７  配線取出口
１０  棚板
１２ａ、１２ｂ  棚板と開口部との間隔
１３  ガラス
１４  ガラリ
【図１】
2005194849.tif 000003
【図２】
2005194849.tif 000004
【図３】
2005194849.tif 000005
【図４】
2005194849.tif 000006
【図５】
2005194849.tif 000007
【図６】
2005194849.tif 000008
【図７】
2005194849.tif 000009
【図８】
2005194849.tif 000010